(57)【特許請求の範囲】
【請求項１】
バルコニーの前梁に取付けられる前カバー及び側梁に取付けられる側カバーからなるカバー本体とコーナー部材とで構成されるカバー部材の接続構造であって、バルコニーの前梁と側梁とにそれぞれ該前梁と側梁の長手方向に長い板状の覆い部を有する前カバーと側カバーとを取付け、この前カバーと側カバーの略直角を為す突き合わせ端部にコーナー部材を配設し、このコーナー部材のカバー本体が取付けられる両端縁部にそれぞれ外面がカバー本体の外面とほぼ連続する連続部を形成し、この連続部の端部にカバー本体の端部の内面が取着される取着部を連続部の外面より内側に形成すると共に、この取着部に水密材を配設するための凹段部を形成し、コーナー部材の取着部に前カバー及び側カバーの端部の内面を当接させて前カバー及び側カバーとコーナー部材の凹段部とで水密材を扶持した状態で取付けることを特徴とするバルコニーのカバー部材の接続構造。
【発明の詳細な説明】
【０００１】
【発明の属する技術分野】
本発明は、バルコニーの床受梁に取付けるカバー部材の接続構造に関するものである。
【０００２】
【従来の技術】
従来より、建物本体から外側方に突出するバルコニーは、建物本体より突出する床受梁にて支持される。
【０００３】
床受梁は、建物本体より片持ち状に突出する二本の側梁と、この両側梁の外端部間に架設される前梁とで構成され、梁間には根太等が架設されてこの梁上にバルコニーの床部が載置される。このようなバルコニーの床受梁の外面には、通常はカバー部材を取付けるものである（例えば、特許文献１参照）。
【０００４】
カバー部材は、床受梁の前梁と側梁とにそれぞれ前カバーと側カバーを取付けるものであるが、この前カバーと側カバーとの突き合わせ端部においては一般的に水密材を充填してコーキングしており、この水密材が外方に露出して外から目立って見えてしまい、非常に見栄えの悪いものであった。
【０００５】
【特許文献１】
特開平６−２４８７７３号公報
【０００６】
【発明が解決しようとする課題】
本発明は上記の点に鑑みてなされたものであり、その目的とするところは、バルコニーの前梁と側梁とに取付ける前カバーと側カバーとの間の水密材が外方に露出して見栄えが悪くなるのを防止するバルコニーのカバー部材の接続構造を提供することを課題とするものである。
【０００７】
【課題を解決するための手段】
上記課題を解決するために本発明に係るバルコニーのカバー部材の接続構造は、バルコニーの前梁１２に取付けられる前カバー２ａ及び側梁１３に取付けられる側カバー２ｂからなるカバー本体２とコーナー部材３とで構成されるカバー部材の接続構造であって、バルコニーの前梁１２と側梁１３とにそれぞれ該前梁１２と側梁１３の長手方向に長い板状の覆い部を有する前カバー２ａと側カバー２ｂとを取付け、この前カバー２ａと側カバー２ｂの略直角を為す突き合わせ端部にコーナー部材３を配設し、このコーナー部材３のカバー本体２が取付けられる両端縁部にそれぞれ外面がカバー本体２の外面とほぼ連続する連続部３３を形成し、この連続部３３の端部にカバー本体２の端部の内面が取着される取着部３４を連続部３３の外面より内側に形成すると共に、この取着部３４に水密材４を配設するための凹段部を形成し、コーナー部材３の取着部３４に前カバー２ａ及び側カバー２ｂの端部の内面を当接させて前カバー２ａ及び側カバー２ｂとコーナー部材３の凹段部とで水密材４を扶持した状態で取付けることを特徴とするものである。このような構成とすることで、水密材４は外方に露出することがなく見栄えが良くなるものである。
【０００８】
【発明の実施の形態】
以下、本発明を添付図面に示す実施形態に基づいて説明する。
【０００９】
本発明におけるバルコニーは、建物本体から外側方に突出するように設けられるもので、建物本体にバルコニーを支持するための床受梁１が設けられる。
【００１０】
床受梁１は、建物本体の構造体である梁の外面に横方向に取付けられる後梁１１と、この後梁１１の両側端部からそれぞれ片持ち状に突出する側梁１３と、この両側梁１３の外端部間に架設される前梁１２とで構成される（以下、側梁１３と前梁１２を単に梁というものとする）。また、床受梁１の前梁１２と後梁１１との間には根太が架設してあり、このような床受梁１の上面にはバルコニーの床部５１が載置されるものである。
【００１１】
また、バルコニーの前面及び側面を構成する床受梁１の上面部には特に図に示すように、任意の間隔を隔てて支柱５２が立設してあり、また、この支柱５２の上端同士は支柱継ぎ材（図示せず）により連結してある。そして、この支柱５２の外面側には特に図示はしないが、腰壁パネルが取付けられる。
【００１２】
腰壁パネルは、枠体の外面部に外装材を取着したもので、枠体の下枠部分を床梁の上面部に取付けてあると共に、腰壁パネルの裏面を支柱５２の外側面に取付けるものである。また、腰壁パネルの上端部には、手摺笠木が取付けられる。
【００１３】
このようなバルコニーには床受梁１の外面にカバー部材を取付けるものであり、以下に説明する。
【００１４】
カバー部材は、床受梁１のうちのそれぞれ前梁１２と側梁１３とに取付ける前カバー２ａと側カバー２ｂ（以下、これらをカバー本体２という）と、この前カバー２ａと側カバー２ｂの突き合わせ端部に配設されるコーナー部材３とからなる。
【００１５】
カバー本体２は、梁の上側に位置する上横片２１と、上横片２１の外端縁部から垂下されて梁の外側に位置する側縦片２２とからなる側断面視略逆Ｌ字状をしたものである。即ち、前カバー２ａは、前梁１２の上側に位置する上横片２１とこの上横片２１の外端縁部から垂下されて前梁１２の外側に位置する側縦片２２とからなり、側カバー２ｂは、側梁１３の上側に位置する上横片２１とこの上横片２１の外端縁部から垂下されて側梁１３の外側に位置する側縦片２２とからなり、これら上横片２１と側縦片２２とが覆い部となっている。また本実施形態では、特に床受梁１の下側に隣接して下階の庇や軒天井（図示せず）が位置するため、カバー本体２の側縦片２２は床受梁１の外側のみならずその下の庇や軒天井の外側に位置して覆うように縦長に形成してある。図に示すものは、側縦片２２の上半部２２ａが下半部２２ｂよりも外側に位置するように上下方向略中央部にて折れ曲った側断面略Ｚ字状となっており、この上半部２２ａが床受梁１の外側に位置すると共に下半部２２ｂが庇や軒天井の外側に位置して覆う覆い部となっている。また、カバー本体２の側縦片２２の下端部からは、庇や軒天井の下面側に位置して覆う下覆い片２４が内側に向けて突設されると共に、カバー本体２の上横片２１の内側端部には、上下に突出する係上片２３を設けてある。
【００１６】
カバー本体２はそれぞれ前梁１２と側梁１３とに取付けられた際、その側端部即ち、上横片２１と側縦片２２の側端部がそれぞれ９０°を為すように突き合わされるのであるが、この両方の側端部間にコーナー部材３を配設するものである。
【００１７】
コーナー部材３は、カバー本体２の上横片２１に連続するコーナー上横片３１と、カバー本体２の側縦片２２に連続するコーナー側縦片３２とで主体が構成される。
【００１８】
コーナー上横片３１は、平面視略正方形状をしたもので、この略正方形の隣接する二辺がそれぞれ前カバー２ａと側カバー２ｂの上横片２１の端縁部と連続するように取付けられるもので、この上横片２１の二辺からコーナー側縦片３２が垂下される。コーナー側縦片３２は、それぞれ前カバー２ａと側カバー２ｂの側縦片２２に連続するように取付けられる。
【００１９】
次に、コーナー部材３のカバー本体２との取付部について説明する。コーナー部材３は、上述したようにそのコーナー上横片３１とコーナー側縦片３２とがそれぞれカバー本体２の上横片２１と側縦片２２とに連続するように取付けられるのであるが、これは、コＬナー部材３の端縁部にカバー本体２の端縁部が取着される取着部３４を形成するものである。
【００２０】
コーナー部材３は、コーナー上横片３１とコーナー側縦片３２のカバー本体２が取付けられる端縁部を内側に凹ませて段部を形成しこの段部を取着部３４としてある。このようにすることで、段部の外面にカバー本体２の上横片２１又は側縦片２２を当接させて取り付けることで、カバー本体２の上横片２１と側縦片２２の外面がコーナー部材３のコーナー上横片３１とコーナー側縦片３２の外面と略面一となるように連続するものである。
【００２１】
そして更にコーナー部材３には、コーナー部材３とカバー本体２とで水密材４を扶持するための凹段部が形成してある。
【００２２】
凹段部は、コーナー部材３の段部の一部を更に凹ませて形成するもので、本実施形態では、コーナー部材３の段部の端縁部に形成してある。なお図は、凹段部に後述する水密材４を設けた状態を示すものであるため、凹段部は直接は図に現れない。そして、この凹段部に水密材４を配設するもので、以下に説明する。
【００２３】
水密材４は、ＥＰＤＭ等で形成されるもので、弾性及び防水性を有するものであれば特に限定されない。水密材４は、図に示すように潰し代を有する大きめのものが配設され、コーナー部材３のコーナー上横片３１及びコーナー側縦片３２の段部にそれぞれカバー本体２の上横片２１及び側縦片２２を当接させてこれらの外面を面一状とした時に潰し代が潰されて凹段部とカバー本体２とで扶持され、水密性が良く保たれるものである。
【００２４】
以上のような構成によれば、コーナー部材３の取着部３４に凹段部を形成してこの凹段部に水密材４を配設し、取着部３４にカバー本体２の端部を当接させてこのカバー本体２と凹段部とで水密材４を潰して扶持することで、水密材４は外方に露出することがなく見栄えが良いものである。また、段部を取着部３４としてあるので、段部にカバー本体２の端縁を取着した際にカバー本体２の外面とコーナー部材３の外面とがほぼ面一となって、更に見栄えが良くなるものである。
【００２５】
【発明の効果】
上記の請求項１記載の本発明にあっては、バルコニーの前梁と側梁とにそれぞれ該前梁と側梁の長手方向に長い板状の覆い部を有する前カバーと側カバーとを取付け、この前カバーと側カバーの略直角を為す突き合わせ端部にコーナー部材を配設し、このコーナー部材のカバー本体が取付けられる両端縁部にそれぞれ外面がカバー本体の外面とほぼ連続する連続部を形成し、この連続部の端部にカバー本体の端部の内面が取着される取着部を連続部の外面より内側に形成すると共に、この取着部に水密材を配設するための凹段部を形成し、コーナー部材の取着部に前カバー及び側カバーの端部の内面を当接させて前カバー及び側カバーとコーナー部材の凹段部とで水密材を扶持した状態で取付けたので、水密材は外方に露出することがなく見栄えが良くなるものである。
【図面の簡単な説明】
【図１】本発明におけるカバー部材のコーナー部材を示し、（ａ）は正面図であり、（ｂ）は平面図であり、（ｃ）は側面図である。
【図２】本発明におけるカバー部材のカバー本体を示し、（ａ）は正面図であり、（ｂ）は平面図であり、（ｃ）は背面図であり、（ｄ）は側面図である。
【図３】本発明におけるバルコニーの概略分解斜視図である。
【図４】バルコニーのカバー部材の接続構造を示す図である。
【符号の説明】
１２  前梁
１３  側梁
２  カバー本体
２ａ  前カバー
２ｂ  側カバー
３  コーナー部材
３３  連続部
３４  取着部
４  水密材
【図１】
0003653263.tif 000002
【図２】
0003653263.tif 000003
【図３】
0003653263.tif 000004
【図４】
0003653263.tif 000005